(57)【要約】【課題】１号系送信装置出力データと２号系送信装置出力データが同期していることを特徴としたディジタル無線伝送装置を提供する。【解決手段】１号系送信装置と２号系送信装置間でそれぞれのディジタル処理の基準となるカウンタリセット信号をやり取りし、切換制御信号によって選択された系をマスターとして、非選択側（スレーブ側）のディジタル処理の基準をマスター側と共用化することによって両者のディジタル処理を同期させて、それぞれの出力データを同期させる回路を有する。【選択図】　図１
2004064255.tif 000002
【特許請求の範囲】
【請求項１】
１号系、２号系という二重の伝送系を持ち、それぞれの出力を選択し切り替えるディジタル無線伝送装置において、前記１号系と２号系の出力データを同期させる手段を具備することを特徴とするディジタル無線伝送装置。
【請求項２】
１号系、２号系という二重の伝送系を持ち、それぞれの出力を選択し切り替えるディジタル無線伝送装置において、前記１号系と２号系の各種ディジタル処理の基準となるカウンタリセット信号を前記１号系と２号系で通信することによって、前記１号系と２号系の出力データを同期させることを特徴とするディジタル無線伝送装置。
【請求項３】
１号系、２号系という二重の伝送系を持ち、それぞれの出力を選択し切り替えるディジタル無線伝送装置において、前記１号系をマスター側とし、２号系をスレーブ側としてカウンタリセット信号を前記マスター側より前記スレーブ側へ通信することによって、前記マスター側のカウンタリセット信号で前記スレーブ側の各種ディジタル処理を行うことを特徴とするディジタル無線伝送装置。
【請求項４】
１号系、２号系という二重の伝送系を持ち、それぞれの出力を選択し切り替えるディジタル無線伝送装置において、マスター側とスレーブ側を任意に切り換えることができることを特徴とするディジタル無線伝送装置。
【発明の詳細な説明】
【０００１】
【発明の属する技術分野】
本発明は、伝送系を二重に備えたディジタル無線伝送装置に関するものである。
【０００２】
【従来の技術】
放送業務用など高い信頼性が要求される伝送装置システムでは、実運用時での故障耐性や保守作業時での運用性確保の見地から、信号伝送系を二重にし、冗長性が与えられるように構成する場合が多い。
【０００３】
そこで、この伝送系を二重にした、いわゆる二重系ディジタル無線伝送装置の従来技術について、図２に説明する。
【０００４】
図２は二重系ディジタル無線伝送装置の一例である、１号系送信装置と２号系送信装置のＲＦ出力信号を切り換えて出力するシステムである。
信号源を同じくする同期したディジタル信号が１号系ディジタル信号１と２号系ディジタル信号１２としてそれぞれ１号系ディジタル処理部２’と２号系ディジタル処理部１３’に入力される。
【０００５】
１号系ディジタル処理部２では、例えば伝送レート変換等の各種ディジタル処理を行う。
【０００６】
また、１号系ディジタル処理部２’では、内蔵する１号系ディジタル処理カウンタ３でカウントアップされた１号系カウンタ値４より、１号系カウンタ値検出部５で所定のカウンタ値を検出して１号系カウンタリセット信号６を生成して、これによって前記１号系ディジタル処理カウンタ３をリセットすることによって、繰り返しカウンタ値を得る。
【０００７】
この繰り返しカウンタ値を基準として各種ディジタル処理を行う。
次いで１号系ディジタル処理後信号７は１号系ディジタル変調部８に入力され、ここでディジタル変調されてから１号系送信周波数変換部１０に１号系ディジタル変調信号９として供給され、ここで所定の周波数に変換されて１号系ＲＦ信号１１となり、ＲＦ出力切換器２４に供給される。
他方、２号系も１号系と同じく２号系ディジタル処理部１３と２号系ディジタル変調部１９、２号系送信周波数変換部２１で処理されてＲＦ出力切換器２４に供給される。
【０００８】
ここで、ＲＦ出力切換器２４は、ここに供給されるＲＦ切換制御信号２３により制御され、アンテナ装置２５への入力信号を、１号系ＲＦ信号１１と２号系ＲＦ信号２２の何れかに切り換えて接続する働きをする。
【０００９】
【発明が解決しようとする課題】
上記従来技術では、１号系ディジタル処理と２号系ディジタル処理を個々の非同期カウンタリセット信号を基準に行うと、各々のディジタル処理部の出力信号は同期しておらず、仮にＲＦ出力切換器が理想的な無瞬断で切り換えられる特性を持っていたとしても、切換後のデータが重複もしくは欠落し、受信装置にて復号時に“フリーズ”と呼ばれる画像異常の発生につながるという欠点がある。
本発明はこれらの欠点を除去し、ディジタル無線伝送装置において１号系と２号系の出力同期動作を確立することを目的とする。
【００１０】
【課題を解決するための手段】
本発明は上記の目的を達成するために、１号系、２号系という二重の伝送系を持ち、それぞれの出力を選択し切り替えるディジタル無線伝送装置において、前記１号系と２号系の出力データを同期させる手段を具備するものである。
【００１１】
また、１号系、２号系という二重の伝送系を持ち、それぞれの出力を選択し切り替えるディジタル無線伝送装置において、前記１号系と２号系の各種ディジタル処理の基準となるカウンタリセット信号を前記１号系と２号系で通信することによって、前記１号系と２号系の出力データを同期させるものである。
【００１２】
また、１号系、２号系という二重の伝送系を持ち、それぞれの出力を選択し切り替えるディジタル無線伝送装置において、前記１号系をマスター側とし、２号系をスレーブ側としてカウンタリセット信号を前記マスター側より前記スレーブ側へ通信することによって、前記マスター側のカウンタリセット信号で前記スレーブ側の各種ディジタル処理を行うものである。
【００１３】
さらに、１号系、２号系という二重の伝送系を持ち、それぞれの出力を選択し切り替えるディジタル無線伝送装置において、マスター側とスレーブ側を任意に切り換えることができるものである。
【００１４】
【発明の実施の形態】
本発明によるディジタル無線伝送装置の一実施例を図１に説明する。
前記従来技術と同様に、信号源を同じくする同期したディジタル信号が１号系ディジタル信号１と２号系テディジタル信号１２としてそれぞれ１号系ディジタル処理部２と２号系ディジタル処理部１３に入力される。
【００１５】
１号系ディジタル処理部２では、例えば伝送レート変換等の各種ディジタル処理を行う。
【００１６】
また、１号系ディジタル処理部２では、内蔵する１号系ディジタル処理カウンタ３でカウントアップされた１号系カウンタ値４より、１号系カウンタ値検出部５で所定のカウンタ値を検出して１号系カウンタリセット信号６を生成して、これによって前記１号系ディジタル処理カウンタ３をリセットすることによって、繰り返しカウンタ値を得る。
【００１７】
この繰り返しカウンタ値を基準として各種ディジタル処理を行う。
次いで１号系ディジタル処理後信号７は１号系ディジタル変調部８に入力され、ここでディジタル変調されてから１号系送信周波数変換部１０に１号系ディジタル変調信号９として供給され、ここで所定の周波数に変換されて１号系ＲＦ信号１１となり、ＲＦ出力切換器２４に供給される。
【００１８】
他方、２号系も１号系と同じく２号系ディジタル処理部１３と２号系ディジタル変調部１９、２号系送信周波数変換部２１で処理されてＲＦ出力切換器２４に供給される。
【００１９】
ここで、ＲＦ出力切換器２４は、ここに供給されるＲＦ切換制御信号２３により制御され、アンテナ装置２５への入力信号を、１号系ＲＦ信号１１と２号系ＲＦ信号２２の何れかに切り換えて接続する働きをする。
【００２０】
また、ディジタル処理部内の各種ディジタル処理の基準となるカウンタリセット信号をそれぞれ１号系ディジタル処理部２は２号系ディジタル処理部１３へ、２号系ディジタル処理部１３は１号系ディジタル処理部２へ出力する。
【００２１】
ＲＦ切換制御信号２３が１号系をマスター側に選択時には、ＲＦ切換制御信号２３によってカウンタリセット信号を１号系同期タイミング切換器２６および２号系同期タイミング切換器２７を用いて切り換えて、１号系ディジタル処理部２は自己の１号系カウンタリセット信号６を用いて１号系ディジタル処理カウンタ３をリセットし、２号系ディジタル処理部１３はスレーブ側として１号系ディジタル処理部２より伝送された１号系カウンタリセット信号６を用いて２号系ディジタル処理カウンタ１４をリセットする。
【００２２】
逆に、ＲＦ切換制御信号２３が２号系をマスター側に選択時には、ＲＦ切換制御信号２３によってカウンタリセット信号を１号系同期タイミング切換器２６及び２号系同期タイミング切換器２７を用いて切り換えて、１号系ディジタル処理部２はスレーブ側として２号ディジタル処理部１３より伝送された２号系カウンタリセット信号１７を用いて１号系ディジタル処理カウンタ３をリセットし、２号系ディジタル処理部１３は自己の２号系カウンタリセット信号１７を用いて２号系ディジタル処理カウンタ１４をリセットする。
【００２３】
つまり、１号系選択時には１号系ディジタル処理部２、２号系ディジタル処理部１３ともに１号系のカウンタ値で動作し、２号系選択時には１号系ディジタル処理部２、２号系ディジタル処理部１３ともに２号系のカウンタ値で動作する。
【００２４】
【発明の効果】
本発明によれば、ディジタル処理部内の各種ディジタル処理の基準となるカウンタリセット信号をそれぞれ１号系ディジタル処理部２は２号系ディジタル処理部１３へ、２号系ディジタル処理部１３は１号系ディジタル処理部２へ出力し、ＲＦ切換制御信号により１号系選択時には１号系ディジタル処理部２、２号系ディジタル処理部１３ともに１号系のカウンタ値で動作させ、２号系選択時には１号系ディジタル処理部２、２号系ディジタル処理部１３ともに２号系のカウンタ値で動作させることによって、１号系と２号系の各種ディジタル処理の同期をとり、出力データの同期をとることにより、１号系と２号系の切換時にデータの非同期による重複もしくは欠落を防ぎ、安定した無線伝送装置を提供することができる。
【図面の簡単な説明】
【図１】本発明によるディジタル無線伝送装置の一実施例のブロック構成を示した図
【図２】従来例の無線伝送装置の一ブロック構成例を示した図
【符号の説明】
１：１号系送信ディジタル信号、２、２’：１号系ディジタル処理部、３：１号系ディジタル処理カウンタ、４：１号系カウンタ値、５：１号系カウンタ値検出部、６：１号系カウンタリセット値、７：１号系ディジタル処理後信号、８：１号系ディジタル変調部、９：１号系ディジタル変調信号、１０：１号系送信周波数変換部、１１：１号系ＲＦ信号、１２：２号系送信ディジタル信号、１３、１３’：２号系ディジタル処理部、１４：２号系ディジタル処理カウンタ、１５：２号系カウンタ値、１６：２号系カウンタ値検出部、１７：２号系カウンタリセット信号、１８：２号系ディジタル処理後信号、１９：２号系ディジタル変調部、２０：２号系ディジタル変調信号、２１：２号系送信周波数変換部、２２：２号系ＲＦ信号、２３：ＲＦ切換制御信号、２４：ＲＦ出力切換器、２５：アンテナ装置、２６：１号系同期タイミング切換器、２７：２号系同期タイミング切換器
【図１】
2004064255.tif 000003
【図２】
2004064255.tif 000004